(57)【要約】      （修正有）【課題】液晶シャッタが設けられた表示装置において、タッチパネルの配線を見えなくすることができるとともに、タッチパネルの検出感度を維持することができる表示装置を提供する。【解決手段】表示装置１０は、表示領域１４０Ａと非表示領域１４０Ｂとを有する表示部材２００と、表示領域１４０Ａに対応する第１の領域と非表示領域に対応する第２の領域とを有するシャッタ部１００と、を備える。シャッタ部１００は、シャッタ液晶セル１１０と、第１の偏光板１２０と、第２の偏光板１３０と、第１の領域に対応する透過領域１４０Ａと透過領域の外側において配線が設けられた配線領域１４０Ｃとを有するタッチパネル１４０と、を有する。透過領域１４０Ａは、グラフィック液晶セル２１０と第１の偏光板２２０との間に設けられる。タッチパネル１４０の配線領域１４０Ｃは、第２の領域に対応し、第２の偏光板２３０からみて表示部材２００の側に設けられる。【選択図】図３
2017142326.tif 000002
【特許請求の範囲】
【請求項１】
表示領域と前記表示領域の周辺に設けられた非表示領域とを有する表示部材と、前記表示部材の前方に配置されて前記表示領域に対応する第１の領域と前記非表示領域に対応する第２の領域とを形成するシャッタ液晶セルが備えられた表示装置において、
前記シャッタ液晶セルの前方に重ねられた第１の偏光板と、前記シャッタ液晶セルの後方に重ねられた第２の偏光板と、前記シャッタ液晶セルの前方に配置されたタッチパネルとを有し、
前記シャッタ液晶セルによって、前記第１の領域が透過状態と不透過状態とに切替えられ、前記第２の領域が不透過状態に設定され、
前記タッチパネルは、透過領域と、前記透過領域から延びる配線領域とを有し、前記透過領域に透明電極が形成され、前記配線領域に、前記透明電極に導通する不透明の配線が形成されており、
前記タッチパネルが曲げられて、前記配線領域が、前記シャッタ液晶セルの後方に配置されていることを特徴とする表示装置。
【請求項２】
前記タッチパネルの前記透過領域が、前記シャッタ液晶セルと前記第１の偏光板との間に挟まれている請求項１記載の表示装置。
【請求項３】
前記タッチパネルの前記配線領域が、前記第２の偏光板と、前記表示部材の前記非表示領域との間に位置している請求項１または２記載の表示装置。
【請求項４】
前記タッチパネルの前記配線領域が、前記表示部材の後方に位置している請求項１または２記載の表示装置。
【請求項５】
前記タッチパネルは、前記透過領域と前記配線領域との間の周辺領域を有しており、前記周辺領域が、前記シャッタ液晶セルの側方に対向しており、前記周辺領域の少なくとも一部に非透明な配線が存在している請求項１ないし４のいずれかに記載の表示装置。
【発明の詳細な説明】
【技術分野】
【０００１】
本発明は、表示部材とその前方に設けられたシャッタ液晶セルおよびタッチパネルとを有する表示装置に関する。
【背景技術】
【０００２】
特許文献１には、画像表示パネルと、画像表示パネルの表示面の前方に配置されたタッチパネルと、を含む画像表示装置が開示されている。特許文献１に記載されたタッチパネルは、センサ電極と、非表示エリアにおいてセンサ電極に電気的に接続された不透明な取り出し回路と、を含んでいる。取り出し回路を有する取り出し部は、画像表示パネルの表示面に対する側面に対峙するように折り曲げられている。これにより、狭額縁化が図られている。
【先行技術文献】
【特許文献】
【０００３】
【特許文献１】特開２０１４−１５７４００号公報
【発明の概要】
【発明が解決しようとする課題】
【０００４】
しかし、特許文献１に開示された画像表示装置では、狭額縁化が図られている一方で、表示エリアの非動作時（表示エリアに各種情報を表示する装置に電源が入っていない状態のとき）に表面側から表示エリアを見ると、表示エリアの色が非表示エリア（額縁領域）の色と同じにはならないという問題がある。
【０００５】
例えば、非動作時に表示エリアの色が非表示エリアの色と同じになり、動作開始時に表示内容が表示エリアに徐々に浮き出るようにしたいという要望がある（フェードイン）。あるいは、動作終了時に表示内容が表示エリアから徐々に消えていって、非動作時に表示エリアの色が非表示エリアの色と同じになるようにしたいという要望がある（フェードアウト）。すなわち、非動作時に表示エリアの色を非表示エリアの色と同じにして、表示エリアと非表示エリアとの間の境界を見えないようにしたいという要望がある。
【０００６】
そこで、液晶シャッタが画像表示パネルに重ねて配置された表示装置が検討されている。この表示装置によれば、非動作時に表示エリアの色を非表示エリアの色と同じにすることができる。
【０００７】
しかし、液晶シャッタが設けられた表示装置においてタッチパネルを設けると、新たな課題が生ずる。すなわち、表示装置の表面から比較的近い位置にタッチパネルを配置すると、タッチパネルの透過領域（検出領域に含まれる領域）の外側に設けられた配線が表示装置の表面側から見えるという問題がある。あるいは、表示装置の表面から比較的遠い位置にタッチパネルを配置すると、表示装置の表面側から配線を見えなくすることができる一方で、タッチパネルの検出感度が低下するという問題がある。
【０００８】
本発明は、上記従来の課題を解決するためのものであり、液晶シャッタが設けられた表示装置において、タッチパネルの配線を見えなくすることができるとともに、タッチパネルの検出感度を維持することができる表示装置を提供することを目的とする。
【課題を解決するための手段】
【０００９】
本発明は、表示領域と前記表示領域の周辺に設けられた非表示領域とを有する表示部材と、前記表示部材の前方に配置されて前記表示領域に対応する第１の領域と前記非表示領域に対応する第２の領域とを形成するシャッタ液晶セルが備えられた表示装置において、
前記シャッタ液晶セルの前方に重ねられた第１の偏光板と、前記シャッタ液晶セルの後方に重ねられた第２の偏光板と、前記シャッタ液晶セルの前方に配置されたタッチパネルとを有し、
前記シャッタ液晶セルによって、前記第１の領域が透過状態と不透過状態とに切替えられ、前記第２の領域が不透過状態に設定され、
前記タッチパネルは、透過領域と、前記透過領域から延びる配線領域とを有し、前記透過領域に透明電極が形成され、前記配線領域に、前記透明電極に導通する不透明の配線が形成されており、
前記タッチパネルが曲げられて、前記配線領域が、前記シャッタ液晶セルの後方に配置されていることを特徴とするものである。
【００１０】
本発明の表示装置によれば、液晶シャッタが表示部材に重ねて配置され、液晶シャッタの第１の領域が表示装置の表示領域に対応して透過状態と不透過状態とに切り替えられる。一方で、液晶シャッタの第２の領域は、表示装置の非表示領域に対応して不透過状態に設定されている。そのため、第１の領域が不透過状態に設定されたときの表示領域の色を非表示領域の色と同じにすることができる。
【００１１】
本発明では、前記タッチパネルの前記透過領域が、前記シャッタ液晶セルと前記第１の偏光板との間に挟まれていることが好ましい。
【００１２】
シャッタ液晶セルの動作が停止したときに、第１の偏光板の前方からは第１の領域と第２の領域とが同じ色合いで非透過状態となる。よって、第１の領域が非透過状態に切換えられたときに、タッチパネルの存在が前方から見えなくなる。
【００１３】
本発明の表示装置は、前記タッチパネルの前記配線領域が、前記第２の偏光板と、前記表示部材の前記非表示領域との間に位置している。
【００１４】
タッチパネルのうちで配線が設けられた配線領域は、液晶シャッタの第２の領域に対応し、第２の偏光板からみて表示部材の側に設けられている状態となる。すなわち、タッチパネルの配線領域は、表示装置の表面側からみて、第２の偏光板の裏側に設けられている。そのため、タッチパネルの配線領域を表示装置の表面側から見えなくすることができる。
【００１５】
または、本発明の表示装置は、前記タッチパネルの前記配線領域が、前記表示部材の後方に位置している。
【００１６】
本発明では、タッチパネルの透過領域は、液晶シャッタの第１の領域に対応し、液晶セルと、液晶セルからみて表示部材とは反対の側に設けられた第１の偏光板と、の間に設けられている。
【００１７】
そのため、タッチパネルの透過領域は、表示装置の表面の比較的近い位置に配置される。これにより、タッチパネルの検出感度を維持することができ、操作位置を確実に検出することができる。
【００１８】
さらに、本発明の表示装置では、前記タッチパネルは、前記透過領域と前記配線領域との間の周辺領域を有しており、前記周辺領域が、前記シャッタ液晶セルの側方に対向しており、前記周辺領域の少なくとも一部に非透明な配線が存在しているものとすることが可能である。
【００１９】
上記のように、周辺領域にも非透明な配線を配置しても、この周辺領域は、前記第２の領域の後方に位置するため、前方からシャッタ液晶セル配線が見えることがない。
【発明の効果】
【００２０】
本発明によれば、液晶シャッタが設けられた表示装置において、タッチパネルの配線を見えなくすることができるとともに、タッチパネルの検出感度を維持することができる表示装置を提供することが可能になる。
【図面の簡単な説明】
【００２１】
【図１】本実施形態に係る表示装置の要部構成を表すブロック図である。
【図２】シャッタ部と表示部材との間の配置関係を表す模式的斜視図である。
【図３】本実施形態のシャッタ部および表示部材の要部構成を表す模式的断面図である。
【図４】本実施形態のシャッタ液晶セルの要部構成を表す模式的断面図である。
【図５】タッチパネルとシャッタ液晶セルと表示部材との間の配置関係を表す模式的斜視図である。
【図６】本実施形態のタッチパネルを表す模式的平面図である。
【図７】本実施形態の他のタッチパネルを表す模式的平面図である。
【図８】上側透明電極および下側透明電極の要部構成を表す模式的斜視図である。
【図９】本発明の他の実施形態に係る表示装置の要部構成を表すブロック図である。
【図１０】シャッタ部と表示部材とオプティカルカップリングとの間の配置関係を表す模式的断面図である。
【発明を実施するための形態】
【００２２】
以下、本発明の実施の形態について図面を参照しつつ説明する。なお、各図面中、同様の構成要素には同一の符号を付して詳細な説明は適宜省略する。
図１は、本実施形態に係る表示装置の要部構成を表すブロック図である。
図２は、シャッタ部と表示部材との間の配置関係を表す模式的斜視図である。
【００２３】
本実施形態に係る表示装置１０は、シャッタ部１００と、表示部材２００と、を備える。シャッタ部１００は、表示部材２００の前方に重ねて配置されている。表示部材２００は、例えば液晶表示装置またはエレクトロルミネッセンス装置である。本実施形態の説明では、表示部材２００が液晶表示装置である場合を例に挙げる。
【００２４】
シャッタ部１００には、電源３２０が接続されている。電源３２０は、シャッタ部１００の動作に必要な電圧を供給する。シャッタ部１００と電源３２０との間には、制御部３１０が設けられている。制御部３１０は、シャッタ部１００の所定の領域を透過状態に設定したり、不透過状態に設定したりする。この詳細については、後述する。表示部材２００には、電源３３０が接続されている。電源３３０は、表示部材２００の動作に必要な電圧を供給する。
【００２５】
図２に表したように、表示部材２００は、表示領域２００Ａと、非表示領域２００Ｂと、を有する。表示領域２００Ａは、液晶を用いて各種の情報を表示可能な領域である。非表示領域２００Ｂは、表示領域２００Ａの周辺に設けられた領域であって、表示領域２００Ａに含まれる電極から延びる配線部や駆動素子を駆動するドライバなどが含まれた領域である。
【００２６】
シャッタ部１００は、第１の領域１００Ａと、第２の領域１００Ｂと、を有する。第１の領域１００Ａは、表示領域２００Ａに対応し、表示領域２００Ａの面積とほぼ同じ面積を有する。第２の領域１００Ｂは、非表示領域２００Ｂに対応し、非表示領域２００Ｂの面積よりも大きい面積を有する。その結果、表示部材２００の非表示領域２００Ｂは、表示装置１０の利用者から遮蔽されている。すなわち、表示装置１０の利用者にとって、表示装置１０の表面側（図１では上側）から非表示領域２００Ｂを見ることができないようになる。
【００２７】
第１の領域１００Ａは、表示領域２００Ａの動作時（表示部材２００の動作時）において透過状態に設定される。一方で、第１の領域１００Ａは、表示領域２００Ａの非動作時（表示部材２００の非動作時）において不透過状態に設定される。第２の領域１００Ｂは、表示領域２００Ａの動作時および非動作時のいずれにおいても不透過状態に設定される。これらの設定は、シャッタ部１００が制御部３１０から送信された制御信号を受信することにより行われる。
【００２８】
図３は、本実施形態のシャッタ部および表示部材の要部構成を表す模式的断面図である。図４は、本実施形態のシャッタ液晶セルの要部構成を表す模式的断面図である。図５は、タッチパネルとシャッタ液晶セルと表示部材との間の配置関係を表す模式的斜視図である。図６は、本実施形態のタッチパネルを表す模式的平面図である。図７は、本実施形態の他のタッチパネルを表す模式的平面図である。図８は、上側透明電極および下側透明電極の要部構成を表す模式的斜視図である。
【００２９】
図３に表したように、シャッタ部１００は、シャッタ液晶セル１１０と、第１の偏光板１２０と、第２の偏光板１３０と、タッチパネル１４０と、表面処理層１５０と、を有する。シャッタ液晶セル１１０は、例えばＴＮ（Twisted Nematic）液晶セルである。なお、シャッタ液晶セル１１０は、ＴＮ液晶セルには限定されない。
【００３０】
シャッタ液晶セル１１０は、第１の偏光板１２０と、第２の偏光板１３０と、の間に設けられている。図５に表したように、シャッタ液晶セル１１０は、第１の液晶セル領域１１０Ａと、第２の液晶セル領域１１０Ｂと、を有する。第１の液晶セル領域１１０Ａは、シャッタ部１００の図２で説明した第１の領域１００Ａに相当し、表示部材２００の表示領域２００Ａに対応している。第２の液晶セル領域１１０Ｂは、シャッタ部１００の図２で説明した第２の領域１００Ｂに相当し、表示部材２００の非表示領域２００Ｂに対応している。
【００３１】
図４に表したように、シャッタ液晶セル１１０は、液晶１１１と、上側配向膜１１２と、下側配向膜１１３と、上側オーバーコート層１１４と、下側オーバーコート層１１５と、上側透明電極１１６と、下側透明電極１１７と、上側ガラス１１８と、下側ガラス１１９と、を有する。
【００３２】
液晶１１１は、上側配向膜１１２と、下側配向膜１１３と、の間に設けられている。液晶１１１、上側配向膜１１２および下側配向膜１１３は、上側オーバーコート層１１４と、下側オーバーコート層１１５と、の間に設けられている。液晶１１１、上側配向膜１１２、下側配向膜１１３、上側オーバーコート層１１４および下側オーバーコート層１１５は、上側透明電極１１６と、下側透明電極１１７と、の間に設けられている。液晶１１１、上側配向膜１１２、下側配向膜１１３、上側オーバーコート層１１４、下側オーバーコート層１１５、上側透明電極１１６および下側透明電極１１７は、上側ガラス１１８と、下側ガラス１１９と、の間に設けられている。
【００３３】
図３に示す第１の偏光板１２０は、シャッタ液晶セル１１０からみて表示部材２００とは反対の側に設けられている。第２の偏光板１３０は、シャッタ液晶セル１１０と表示部材２００との間に設けられている。第１の偏光板１２０の透過軸の角度は、第２の偏光板１３０の透過軸の角度と同じである。
【００３４】
図３、図５および図６に表したように、タッチパネル１４０は、透過領域１４０Ａと、周辺領域１４０Ｂと、配線領域１４０Ｃと、を有する。透過領域１４０Ａは、シャッタ部１００の図２における第１の領域１００Ａに相当し、表示部材２００の表示領域２００Ａに対応している。すなわち、透過領域１４０Ａは、シャッタ部１００の第１の領域１００Ａに対応している。図３に表したように、透過領域１４０Ａは、シャッタ液晶セル１１０と第１の偏光板１２０との間に設けられている。
【００３５】
タッチパネル１４０の周辺領域１４０Ｂおよび配線領域１４０Ｃは、透過領域１４０Ａの外側に設けられている。周辺領域１４０Ｂは、透過領域１４０Ａと配線領域１４０Ｃとの間に設けられている。周辺領域１４０Ｂおよび配線領域１４０Ｃは、シャッタ部１００の第２の領域１００Ｂに相当し、表示部材２００の非表示領域２００Ｂに対応している。すなわち、周辺領域１４０Ｂおよび配線領域１４０Ｃは、シャッタ部１００の第２の領域１００Ｂに対応している。
【００３６】
図３に表したように、周辺領域１４０Ｂは、シャッタ液晶セル１１０の側面を通り、配線領域１４０Ｃに延びている。配線領域１４０Ｃは、第２の偏光板１３０からみて表示部材２００の側に設けられている。具体的には、配線領域１４０Ｃは、第２の偏光板１３０と、表示部材２００と、の間に設けられている。
【００３７】
図６に示すように、タッチパネル１４０は、基材１４１と、第１の透明電極１４２と、第２の透明電極１４３と、を有する。第１の透明電極１４２および第２の透明電極１４３は、本発明の透明電極に相当する。例えば、基材１４１は、透光性を有し、ポリエチレンテレフタレート（ＰＥＴ）等のフィルム状の透明基材で形成される。第１の透明電極１４２および第２の透明電極１４３は、基材の表面において、透過領域１４０Ａおよび周辺領域１４０Ｂに設けられている。例えば、第１の透明電極１４２および第２の透明電極１４３は、ＩＴＯ（Indium Tin Oxide）、ＳｎＯ２、ＺｎＯ等の透明導電性材料でスパッタや蒸着等により形成される。
【００３８】
透明導電性材料としては、ＩＴＯ、ＳｎＯ２、ＺｎＯの他に、銀ナノワイヤに代表される金属ナノワイヤ、メッシュ状に形成された薄い金属、あるいは導電性ポリマーなどが挙げられる。第１の透明電極１４２および第２の透明電極１４３は、導電性インクでスクリーン印刷により形成されてもよい。あるいは、第１の透明電極１４２および第２の透明電極１４３は、感光型導電性シート（いわゆる、ドライフィルムレジストに導電層を有したシート）によって形成されてもよい。
【００３９】
透明導電性材料を、銀ナノワイヤに代表される金属ナノワイヤ、メッシュ状に形成された薄い金属、あるいは導電性ポリマーで形成すると、透明導電性材料が形成されている領域でタッチパネル１４０を折り曲げやすくなる。
【００４０】
第１の透明電極１４２および第２の透明電極１４３は、配線領域１４０Ｃに設けられた配線１４４に接続されている。配線１４４は、フレキシブルプリント基板３５０を介して回路基板３４０に接続されている。第１の透明電極１４２および第２の透明電極１４３に対する駆動電圧は、配線１４４を介して供給される。配線１４４は、第１の透明電極１４２および第２の透明電極１４３と同様な透明導電性材料でスパッタや蒸着等により形成されてもよいし、透光性は必ずしも要求されないので別の金属材料により形成されてもよい。また少なくとも配線１４４の端末部は非透明である。
【００４１】
タッチパネル１４０は、例えば自己容量検出型の静電容量式センサである。この場合には、操作面（例えば、表面処理層１５０の表面）上に指を接触させると、指と指に近い第１の透明電極１４２との間、および指と指に近い第２の透明電極１４３との間で静電容量が生じる。タッチパネル１４０は、このときの静電容量変化に基づいて、指の接触位置を算出することが可能である。タッチパネル１４０は、指と第１の透明電極１４２との間の静電容量変化に基づいて指の位置のＹ座標を検知し、指と第２の透明電極１４３との間の静電容量変化に基づいて指の位置のＸ座標を検知する。
【００４２】
あるいは、タッチパネル１４０は、例えば相互容量検出型であってもよい。この場合には、タッチパネル１４０は、第１の透明電極１４２および第２の透明電極１４３のいずれか一方の電極の一列に駆動電圧を印加し、第１の透明電極１４２および第２の透明電極１４３のいずれか他方の電極と指との間の静電容量の変化を検知してもよい。これにより、タッチパネル１４０は、他方の電極により指の位置のＹ座標を検知し、一方の電極により指の位置のＸ座標を検知する。
【００４３】
なお、図６に表したタッチパネル１４０のように、配線１４４は、タッチパネル１４０の一辺に設けられたフレキシブルプリント基板３５０に接続されていてもよい。あるいは、図７に表したタッチパネル１４０Ｍのように、配線１４４は、タッチパネル１４０の複数の辺に設けられたフレキシブルプリント基板３５０に接続されていてもよい。なお、前記配線１４４の端末部が、コネクタ端子になっており、前記フレキシブル回路基板３５０の導電パターンが前記コネクタ端子に半田付けなどされて接合される。なお、フレキシブルプリント基板３５０が、タッチパネル１４０を構成する基材１４１の一部を延長させて形成されてもよい。
【００４４】
図３に示すように、表面処理層１５０は、第１の偏光板１２０からみてタッチパネル１４０とは反対側に設けられている。表面処理層１５０は、第１の偏光板１２０の表面に設けられ、指紋防止（ＡＦ：Anti-Fingerprint）コート層と、反射防止（ＡＲ：Anti-Reflection）コート層と、ハードコート（ＨＣ：Hard-Coat）層と、を含む。
【００４５】
表示部材２００は、グラフィック液晶セル２１０と、第１の偏光板２２０と、第２の偏光板２３０と、バックライト２４０と、表面処理層２５０と、ケース２６０と、を有する。グラフィック液晶セル２１０、第１の偏光板２２０、第２の偏光板２３０、バックライト２４０および表面処理層２５０は、例えば金属などにより形成されたケース２６０の内部に収納されている。
【００４６】
グラフィック液晶セル２１０は、例えばＩＰＳ（In Plane Switchig：登録商標）液晶セルである。なお、グラフィック液晶セル２１０は、ＩＰＳ（登録商標）液晶セルには限定されない。表面処理層２５０は、防眩（ＡＧ：Anti-Glare）コート層と、反射防止（ＡＲ：Anti-Reflection）コート層と、ハードコート（ＨＣ：Hard-Coat）層と、を含む。
【００４７】
グラフィック液晶セル２１０は、第１の偏光板２２０と、第２の偏光板２３０と、の間に設けられている。第１の偏光板２２０の透過軸の角度は、第２の偏光板２３０の透過軸の角度に対して直交している。例えば、第１の偏光板２２０の透過軸の角度は、シャッタ部１００の第１の偏光板１２０および第２の偏光板１３０の透過軸の角度と同じである。例えば、第２の偏光板２３０の透過軸の角度は、シャッタ部１００の第１の偏光板１２０および第２の偏光板１３０の透過軸の角度に対して直交している。
【００４８】
所定の周波数および電位差を有する電圧がシャッタ液晶セル１１０に印加されると、シャッタ液晶セル１１０内の液晶１１１が反応して透過状態になる。これにより、シャッタ部１００の第１の領域１００Ａが透過状態になる。一方で、電圧の印加を解除すると、シャッタ液晶セル１１０内の液晶１１１が反応しない状態に戻って不透過状態になる。これにより、シャッタ部１００の第１の領域１００Ａが不透過状態になる。
【００４９】
図８を参照しつつ具体的に説明すると、上側透明電極１１６は、第１の電極１１６Ａと、第２の電極１１６Ｃと、を有する。第１の電極１１６Ａは、シャッタ部１００の第１の領域１００Ａに対応する。第２の電極１１６Ｃは、シャッタ部１００の第２の領域１００Ｂに対応する。下側透明電極１１７は、第１の電極１１７Ｂと、第２の電極１１７Ｃと、を有する。第１の電極１１７Ｂは、シャッタ部１００の第１の領域１００Ａに対応する。第２の電極１１７Ｃは、シャッタ部１００の第２の領域１００Ｂに対応する。
【００５０】
第１の電極１１６Ａおよび第１の電極１１７Ｂには、制御部３１０により、互いに同電位の電圧と、所定の周波数および互いに電位差を有する電圧と、が選択的に印加される。所定の周波数および互いに電位差を有する電圧が第１の電極１１６Ａおよび第１の電極１１７Ｂに印加されると、第１の電極１１６Ａと第１の電極１１７Ｂとの間に配置された液晶１１１が反応して透過状態になる。一方で、所定の周波数および互いに電位差を有する電圧が解除され、互いに同電位の電圧が第１の電極１１６Ａおよび第１の電極１１７Ｂに印加されると、第１の電極１１６Ａと第１の電極１１７Ｂとの間に配置された液晶１１１が反応しない状態に戻って不透過状態になる。
【００５１】
これに対して、第２の電極１１６Ｃおよび第２の電極１１７Ｃには、制御部３１０により、互いに同電位の電圧が常に印加される。そのため、第２の電極１１６Ｃと第２の電極１１７Ｃとの間に配置された液晶１１１は、反応せずに不透過状態を維持する。
【００５２】
本実施形態に係る表示装置１０によれば、シャッタ部１００が表示部材２００に重ねて配置され、シャッタ部１００の第１の領域１００Ａが表示部材２００の表示領域２００Ａに対応して透過状態と不透過状態とに切り替えられる。一方で、シャッタ部１００の第２の領域１００Ｂは、表示部材２００の非表示領域２００Ｂに対応して不透過状態に設定されている。そのため、第１の領域１００Ａが不透過状態に設定されたときの表示領域２００Ａの色を非表示領域２００Ｂの色と同じにすることができる。
【００５３】
ここで、シャッタ部が設けられた表示装置においてタッチパネルを設けると、新たな課題が生ずる。すなわち、表示装置の表面から比較的近い位置にタッチパネルを配置すると、タッチパネルの透過領域の外側に設けられた配線が表示装置の表面側から見えるという問題がある。あるいは、表示装置の表面から比較的遠い位置にタッチパネルを配置すると、表示装置の表面側から配線を見えなくすることができる一方で、タッチパネルの検出感度が低下するという問題がある。
【００５４】
これに対して、本実施形態に係る表示装置１０では、タッチパネル１４０の配線領域１４０Ｃは、第２の偏光板１３０からみて表示部材２００の側に設けられている。すなわち、配線領域１４０Ｃは、表示装置１０の表面側からみて、第２の偏光板１３０の裏側に設けられている。そのため、配線領域１４０Ｃを表示装置１０の表面側から見えなくすることができる。
【００５５】
具体的には、配線領域１４０Ｃは、第２の偏光板１３０と、表示部材２００と、の間に設けられている。これにより、配線領域１４０Ｃは、表示装置１０の表面側からみて、第２の偏光板１３０の裏側であって表示部材２００の表側に設けられる。そのため、透過領域１４０Ａと配線領域１４０Ｃとの間の距離を比較的短くすることができ、タッチパネル１４０を小型化することができる。
【００５６】
また、タッチパネル１４０の透過領域１４０Ａは、シャッタ液晶セル１１０と第１の偏光板１２０との間に設けられている。そのため、透過領域１４０Ａは、表示装置１０の表面の比較的近い位置に配置される。これにより、タッチパネル１４０の検出感度を維持することができ、操作位置を確実に検出することができる。
【００５７】
タッチパネル１４０の検出感度を維持することができるため、Ｓ／Ｎ比（ＳＮＲ：signal-to-noise ratio）を維持するあるいは向上させることができる。これにより、ノイズに強い表示装置１０を提供することができる。また、ホバリングの距離を伸ばすことができる。
【００５８】
また、第１の透明電極１４２および第２の透明電極１４３を形成する透明導電性材料がメッシュ状に形成された金属である場合には、タッチパネル１４０が透過領域１４０Ａおよび周辺領域１４０Ｂの少なくともいずれかにおいて折り曲げられた場合であっても、第１の透明電極１４２および第２の透明電極１４３の断線を抑制し、第１の透明電極１４２および第２の透明電極１４３の信頼性を向上させることができる。また、透明導電性材料がＩＴＯ（Indium Tin Oxide）である場合と比較して、第１の透明電極１４２および第２の透明電極１４３の抵抗値を低減することができる。
【００５９】
なお、タッチパネル１４０の周辺領域１４０Ｂは、シャッタ液晶セル１１０の側面に対向するため、この周辺領域１４０Ｂの少なくとも一部に非透明な配線１４４の一部が存在してもよい。
【００６０】
また、周辺領域１４０Ｂと配線領域１４０Ｃは、透過領域１４０Ａのいずれか１辺からのみ延び出ていてもよいし、２辺から延び出ていてもよい。
【００６１】
次に、本発明の他の実施の形態について図面を参照しつつ説明する。
図９は、本発明の他の実施形態に係る表示装置の要部構成を表すブロック図である。
図１０は、シャッタ部と表示部材とオプティカルカップリングとの間の配置関係を表す模式的斜視図である。
【００６２】
図９に表した表示装置１０Ａは、図１〜図８に関して前述した表示装置１０と比較して、オプティカルカップリング４００をさらに備える。図１０に表したように、オプティカルカップリング４００は、シャッタ部１００と表示部材２００との間に設けられている。シャッタ部１００と表示部材２００とは、オプティカルカップリング４００により互いに光学的に結合している。オプティカルカップリング４００としては、例えばアクリル系粘着剤や両面粘着テープ等などが挙げられる。
【００６３】
本実施形態に係る表示装置１０Ａでは、タッチパネル１４０の配線領域１４０Ｃは、表示部材２００からみてシャッタ部１００とは反対の側に設けられている。そして、タッチパネル１４０の周辺領域１４０Ｂは、シャッタ液晶セル１１０および表示部材２００の側面を通り、配線領域１４０Ｃに延びている。表示装置１０Ａの他の構造は、図１〜図８に関して前述した表示装置１０と同じである。
【００６４】
本実施形態に係る表示装置１０Ａによれば、配線領域１４０Ｃは、シャッタ部１００と表示部材２００との間ではなく、表示部材２００からみてシャッタ部１００とは反対の側に設けられる。すなわち、配線領域１４０Ｃは、表示部材２００の裏側に設けられる。これにより、シャッタ部１００と表示部材２００とを互いにより容易に光学結合させることができる。
【００６５】
なお、上記に本実施形態およびその適用例を説明したが、本発明はこれらの例に限定されるものではない。例えば、前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に含有される。
【符号の説明】
【００６６】
１０、１０Ａ  表示装置
１００  シャッタ部
１００Ａ  第１の領域
１００Ｂ  第２の領域
１１０  シャッタ液晶セル
１１０Ａ  第１の液晶セル領域
１１０Ｂ  第２の液晶セル領域
１１１  液晶
１１２  上側配向膜
１１３  下側配向膜
１１４  上側オーバーコート層
１１５  下側オーバーコート層
１１６  上側透明電極
１１６Ａ  第１の電極
１１６Ｃ  第２の電極
１１７  下側透明電極
１１７Ｂ  第１の電極
１１７Ｃ  第２の電極
１１８  上側ガラス
１１９  下側ガラス
１２０  第１の偏光板
１３０  第２の偏光板
１４０  タッチパネル
１４０Ａ  透過領域
１４０Ｂ  周辺領域
１４０Ｃ  配線領域
１４０Ｍ  タッチパネル
１４１  基材
１４２  第１の透明電極
１４３  第２の透明電極
１４４  配線
１５０  表面処理層
２００  表示部材
２００Ａ  表示領域
２００Ｂ  非表示領域
２１０  グラフィック液晶セル
２２０  第１の偏光板
２３０  第２の偏光板
２４０  バックライト
２５０  表面処理層
２６０  ケース
３１０  制御部
３２０、３３０  電源
３４０  回路基板
３５０  フレキシブルプリント基板
４００  オプティカルカップリング
【図１】
2017142326.tif 000003
【図２】
2017142326.tif 000004
【図３】
2017142326.tif 000005
【図４】
2017142326.tif 000006
【図５】
2017142326.tif 000007
【図６】
2017142326.tif 000008
【図７】
2017142326.tif 000009
【図８】
2017142326.tif 000010
【図９】
2017142326.tif 000011
【図１０】
2017142326.tif 000012